(57)【特許請求の範囲】
【請求項１】
透光性意匠が設けられた文字板と重ねて配置される発光部と、前記発光部に連接された、光源の光が入光される入光面を備えた、導光部と、前記導光部によって前記発光部に導かれた光を前記発光部の前記文字板と相対する一方の面に向けて反射する、前記発光部における前記一方の面と相対する他方の面に設けられた、反射部と、を備えた導光板において、
前記反射部には、前記発光部を進む光の進行方向に交差して且つ幅方向に互いに接して配置された前記他方の面に凸又は凹の複数の線条部からなる反射体が、互いに間隔をあけて複数設けられ、
前記複数の線条部が、入射された光を、前記一方の面寄りに向けて屈折させながら透過させたのち前記文字板に直交する方向に向けて反射するように形成されている
ことを特徴とする導光板。
【請求項２】
前記反射部が、前記光源から遠ざかるにしたがって、前記他方の面の単位面積当たりに占める前記反射体の平面視面積の割合が大きくなるように設けられていることを特徴とする請求項１に記載の導光板。
【請求項３】
前記反射体における前記発光部を進む光の強度が所定の基準値より低い箇所に配置された部分には、該反射体の前記線条部に幅方向に互いに接して配置される１又は複数の補助線条部が設けられていることを特徴とする請求項１又は２に記載の導光板。
【請求項４】
透光性意匠が設けられた文字板と、前記文字板の背面に重ねて配置される導光板と、を備える指針計器において、
前記導光板として、請求項１〜３のいずれか一項に記載の導光板を備えている
ことを特徴とする指針計器。
【発明の詳細な説明】
【技術分野】
【０００１】
本発明は、例えば、指針によって指示される透光性意匠が設けられた文字板を、その背面から照らすための導光板、及び、このような導光板を備えた指針計器に関するものである。
【背景技術】
【０００２】
車両、船舶などの移動体には、各種の計測ユニットが計測した複数の情報を、移動体の運転者等の乗員に対し表示する指針計器が搭載されている（例えば、特許文献１参照）。
【０００３】
この種の指針計器として、例えば、移動体としての車両の速度を表示する速度メータや、エンジンの回転数を表示するタコメータ、燃料の残量を表示する燃料計、又は、エンジンの冷却水の温度を表示する水温計などが挙げられる。
【０００４】
図２１に、従来の指針計器である速度メータ８０１を示す。この速度メータ８０１は、速度を示す数字や目盛などの透光性意匠を備えた略円状の文字板８０４と、文字板８０４の背面に配置されるケース８０５と、前面に複数の光源８６１が配設されるとともに背面に回動内機８０７が設けられて、その前面をケース８０５の背面側に重ねて配置される基板８０６と、基板８０６、ケース８０５及び文字板８０４を順次貫通する回動内機８０７の指針軸８７２の先端に固定され、文字板８０４の前面に沿って回動可能に配置された指針部材８０８と、ケース８０５に収容されるとともに文字板８０４の背面に間隔をあけて配置された導光板８０９と、文字板８０４と導光板８０９との間に配置されたプリズムシート８１０と、を備えている。導光板８０９は、平面視円弧状の平板からなる発光部８９１と、発光部８９１の内縁８９１ｅに沿って連接されるとともに、該内縁８９１ｅから略垂直方向に延びるように形成された略半円筒状の導光部８９２と、を備えている。プリズムシート８１０は、導光板８０９の発光部８９１の平面視形状と略同一に形成されている。なお、各部材の配置等については、便宜上、互いに直交するＸ軸、Ｙ軸、Ｚ軸を用いて説明する。
【０００５】
複数の光源８６１は、基板８０６の前面に円弧状に等間隔で配設され、それらの正面方向がＺ軸方向と平行になるように配置される。文字板８０４は、ＸＹ平面と平行に配置される。導光板８０９の発光部８９１は、ＸＹ平面と略平行に配置され、導光板８０９の導光部８９２は、基板８０６に向かいＺ軸方向に沿って延びるように配置される。
【０００６】
導光部８９２の先端には、円弧状に配設された複数の光源８６１と相対して配置され、これら複数の光源８６１の光が入光される入光面８９２ａが設けられている。また、発光部８９１の一方の面（以下、前面）８９１ａは、プリズムシート８１０を間に挟んで文字板８０４の背面と相対して配置されており、発光部８９１の他方の面（以下、裏面）８９１ｂには、図２２に示すように、発光部８９１の周方向に沿う断面Ｖ字状の複数の溝８９７を有する反射部８９３が設けられている。反射部８９３に設けられたこれら複数の断面Ｖ字状の溝８９７は、発光部８９１の内縁８９１ｅから外縁８９１ｆに向かう方向（即ち、半径方向）に沿って互いに間隔をあけて配置されている。これら複数の断面Ｖ字状の溝８９７の間には、平面状の反射面８９６が設けられている。そして、各図に示すように、光源８６１から入光面８９２ａに入光された光は、導光部８９２及び発光部８９１を光路として、導光部８９２をＺ軸方向に沿って進むとともに、発光部８９１を半径方向に沿って進み、反射部８９３によって前面８９１ａに向けて反射されて、この前面８９１ａからプリズムシート８１０に向けて出光される。
【０００７】
このとき、導光板８０９においては、図２２に示すように、発光部８９１を進む光が、反射面８９６と複数の断面Ｖ字状の溝８９７とによって、発光部８９１の前面８９１ａに対して傾斜した方向に向けて反射されるとともに前面８９１ａから斜め方向に出光され、そして、文字板８０４と導光板８０９との間に設けたプリズムシート８１０によって、この前面８９１ａから出光された光の進行方向を文字板８０４に対して直交するように屈折（即ち、矯正）して、文字板８０４の背面に入射させる。これにより、文字板８０４に設けられた透光性意匠が発光するとともに、正面方向から見たときの光の強度を十分に確保することができた。
【先行技術文献】
【特許文献】
【０００８】
【特許文献１】特開２００３−１９４５９４号公報
【発明の概要】
【発明が解決しようとする課題】
【０００９】
しかしながら、このような速度メータ８０１は、透光性意匠を正面方向から見たときの光の強度を十分に確保するために、導光板８９１の前面８９１ａから出光される光の進行方向を矯正するためのプリズムシート８１０を設ける必要があるので、部品点数が多くなり、製造コストの低減を妨げてしまうという問題があった。
【００１０】
本発明は、上記課題に係る問題を解決することを目的としている。即ち、本発明は、光の進行方向を矯正するための部材を用いることなく、正面方向の光の強度を十分に確保できる導光板、及び、このような導光板を備える指針計器を提供することを目的としている。
【課題を解決するための手段】
【００１１】
請求項１に記載された発明は、上記目的を達成するために、透光性意匠が設けられた文字板と重ねて配置される発光部と、前記発光部に連接された、光源の光が入光される入光面を備えた、導光部と、前記導光部によって前記発光部に導かれた光を前記発光部の前記文字板と相対する一方の面に向けて反射する、前記発光部における前記一方の面と相対する他方の面に設けられた、反射部と、を備えた導光板において、前記反射部には、前記発光部を進む光の進行方向に交差して且つ幅方向に互いに接して配置された前記他方の面に凸又は凹の複数の線条部からなる反射体が、互いに間隔をあけて複数設けられ、前記複数の線条部が、入射された光を、前記一方の面寄りに向けて屈折させながら透過させたのち前記文字板に直交する方向に向けて反射するように形成されていることを特徴とする導光板である。
【００１２】
請求項２に記載された発明は、請求項１に記載された発明において、前記反射部が、前記光源から遠ざかるにしたがって、前記他方の面の単位面積当たりに占める前記反射体の平面視面積の割合が大きくなるように設けられていることを特徴とするものである。
【００１３】
請求項３に記載された発明は、請求項１又は２に記載された発明において、前記反射体における前記発光部を進む光の強度が所定の基準値より低い箇所に配置された部分には、該反射体の前記線条部に幅方向に互いに接して配置される１又は複数の補助線条部が設けられていることを特徴とするものである。
【００１４】
請求項４に記載された発明は、上記目的を達成するために、透光性意匠が設けられた文字板と、前記文字板の背面に重ねて配置された導光板と、を備える指針計器において、前記導光板として、請求項１〜３のいずれか一項に記載の導光板を備えていることを特徴とする指針計器である。
【発明の効果】
【００１５】
請求項１に記載された発明によれば、発光部に設けられた反射部には、前記発光部を進む光の進行方向に交差して且つ幅方向に互いに接して配置された前記他方の面に凸又は凹の複数の線条部からなる反射体が、互いに間隔をあけて複数設けられ、そして、これら複数の線条部が、入射された光を、前記一方の面寄りに向けて屈折させながら透過させたのち前記文字板に直交する方向に向けて反射するように形成されているので、発光部を進む光を反射部によって屈折及び反射して、前記一方の面から文字板に直交する方向に向けて出光させることができ、そのため、プリズムシートなどの光の進行方向を矯正するための部材を用いることなく、正面方向の光の強度を十分に確保できる。
【００１６】
請求項２に記載された発明によれば、反射部が、光源から遠ざかるにしたがって、前記他方の面の単位面積当たりに占める前記反射体の平面視面積の割合が大きくなるように設けられているので、反射体の平面視面積に比例して反射体で反射される光が増加して、反射部における光源から遠く離れた部分から出光される光の強度と、該部分より光源に近い部分から出光される光の強度と、の差を小さくすることができ、発光部の前記一方の面から出光される光の強度ムラを防ぐことができる。
【００１７】
請求項３に記載された発明によれば、前記反射体における前記発光部を進む光の強度が所定の基準値より低い箇所に配置された部分には、該反射体の前記線条部に幅方向に互いに接して配置される１又は複数の補助線条部が設けられている。上述したような指針計器に用いられる光源として、一般的に発光ダイオードが用いられる。発光ダイオードは、半導体からなる発光素子と、該発光素子を封止する透光性樹脂と、を備えており、この透光性樹脂には、発光ダイオードの正面方向の光の強度を高めるためのレンズなどの集光構造が設けられている。そのため、発光ダイオードからなる光源は、正面方向については高い光の強度を確保できるものの、正面方向から外れるにしたがって光の強度が低下してしまい、これにより、導光板において、発光部を進む光の強度に不均一が生じて、発光部の前記一方の面から出光される光の強度にムラが生じてしまうという問題があったが、本発明では、上述した補助線条部が設けられているので、発光部を進む光の強度が所定の基準値より低い箇所において、補助線条部によってより多くの光を文字板に直交する方向に向けて反射して前記一方の面から出光でき、そのため、該箇所に対応する発光部の前記一方の面から出光される光の強度を、他の箇所と同様にすることができ、発光部の前記一方の面から出光される光の強度ムラを防ぐことができる。
【００１８】
請求項４に記載された発明によれば、透光性意匠が設けられた文字板と、前記文字板の背面に重ねて配置された導光板と、を備える指針計器において、前記導光板として、請求項１〜３のいずれか一項に記載の導光板を備えているので、導光板の発光部を進む光を反射部によって屈折及び反射して、前記一方の面から文字板に直交する方向に向けて出光させることができ、そのため、プリズムシートなどの光の進行方向を矯正するための部材を用いることなく、正面方向の光の強度を十分に確保でき、部品点数を削減して、製造コストを低減することができる。
【図面の簡単な説明】
【００１９】
【図１】本発明の第１の実施形態の速度メータの正面図である。
【図２】図１のＫ−Ｋ線に沿う断面図である。
【図３】図１の速度メータが備える導光板及び配線板の斜視図である。
【図４】図３の導光板に設けられる反射体の構成及びこの反射体によって光が屈折及び反射される様子を模式的に示す断面図であり、（ａ）は、反射体が２つの凸条で構成されている場合を示し、（ｂ）は、反射体が３つの凸条で構成されている場合を示し、（ｃ）は、反射体が４つの凸条で構成されている場合を示す。
【図５】（ａ）は、反射体が備える複数の凸条の形状の決定する方法を説明する図であり、（ｂ）は、反射体によって反射された光が進む範囲を説明する図である。
【図６】断面形状が同一の複数の凸条で構成された反射体において、さらに断面形状が同一の凸条を追加した場合に、光が屈折及び反射される様子を模式的示す断面図であり、（ａ）は、２つの凸条で構成されている反射体に３つ目の凸条を追加した場合を示し、（ｂ）は、３つの凸条で構成されている反射体に４つ目の凸条を追加した場合を示し、（ｃ）は、４つの凸条で構成されている反射体に５つ目の凸条を追加した場合を示す。
【図７】（ａ）は、図３の導光板に設けられる反射部の構成（反射体間隔が異なる）を示す断面図であり、（ｂ）は、（ａ）に示す反射部の第１の変形例の構成（凸条の大きさが異なる）を示す断面図であり、（ｃ）は、（ａ）に示す反射部の第２の変形例の構成（凸条の数が異なる）を示す断面図である。
【図８】（ａ）は、図３の導光板に設けられる反射部が備える反射体の形状（連続形状）を示す斜視図であり、（ｂ）は、（ａ）に示す反射体の第１の変形例の形状（離散形状）を示す斜視図である。
【図９】（ａ）は、図３の導光板に設けられる反射部が備える反射体の第１の変形例の配置（矩形配置）を示す斜視図であり、（ｂ）は、（ａ）に示す反射体の第２の変形例の配置（六方格子状配置）を示す斜視図であり、（ｃ）は、（ａ）に示す反射体の第３の変形例の配置（ランダム配置）を示す斜視図であり、（ｄ）は、（ａ）に示す反射体の第４の変形例の配置（反射体の凸条の数が異なる）を示す斜視図である。
【図１０】（ａ）は、図３の導光板に設けられる反射部の反射体を構成する凸条の第１の変形例の断面形状（四角形）を示す断面図であり、（ｂ）は、上記凸条の第２の変形例の断面形状（先端の向きが異なる）を示す断面図であり、（ｃ）は、上記凸条の第３の変形例の断面形状（大きさが異なる）を示す断面図である。
【図１１】図３の導光板の発光部を進む光を模式的に示した図である。
【図１２】本発明の第２の実施形態の速度メータの断面図である。
【図１３】図１２の導光板が備える導光部品の背面図である。
【図１４】図１２の導光板の背面図である。
【図１５】図１３の導光部品の第１部分を進む光の強度が所定の基準値より低い箇所を模式的に示す背面図である。
【図１６】（ａ）は、図１２の導光部品が備える反射部の反射体に設けられる補助凸条の配置を示す断面図であり、（ｂ）は、上記補助凸条の他の配置を示す断面図である。
【図１７】（ａ）は、図１２の導光板の第１の変形例の構成を示す背面図であり、（ｂ）は、上記導光板の第２の変形例の構成を示す背面図である。
【図１８】本発明に係る導光板の他の構成の一部分を示す斜視図である。
【図１９】本発明に係る導光板に設けられる反射部の他の構成を模式的に示す背面図である。
【図２０】図３の導光板に設けられる反射部が備える反射体の第５の変形例（複数の凹溝）の構成及びこの反射体によって光が屈折及び反射される様子を模式的に示す断面図である。
【図２１】従来の速度メータの断面図である。
【図２２】図２１の速度メータが備える導光板に入光された光が進む方向を模式的に示した図である。
【発明を実施するための形態】
【００２０】
（第１の実施形態）
以下、本発明に係る第１の実施形態の導光板を備えた速度メータについて、図１〜図１１を参照して説明する。なお、各部材の配置等については、便宜上、互いに直交するＸ軸、Ｙ軸、Ｚ軸を用いて説明する。
【００２１】
指針計器としての速度メータ（以下、「メータ」という、また、図中、符号１で示す）は、例えば車両のインストルメントパネルに取り付けられており、その文字板を乗員と相対する前面（正面）側に向けて配置されている。なお、本実施形態は、一例として速度メータについて記載するものであるが、これに限定されるものではなく、タコメータや燃料計など他の種類のメータに本発明を適用してもよい。
【００２２】
メータ１は、各図に示すように、見返し板２と、装飾リング部材３と、文字板４と、ケース５と、配線板６と、回動内機７と、指針部材８と、導光板９と、図示しない裏カバーと、図示しない表ガラスと、を備えている。
【００２３】
見返し板２は、遮光性を有する黒色の合成樹脂などからなり、正面形状が略矩形状に形成されている。見返し板２には、装飾リング部材３及び文字板４が内側に配置される開口２５が設けられている。また、見返し板２には、所定の形状に形成された透明又は半透明の合成樹脂やガラスなどの透光部材が貫通してはめ込まれて構成された方向指示灯やウォーニング灯等の各種ランプなどが設けられていても良い。見返し板２は、ＸＹ平面と平行に配置されている。
【００２４】
装飾リング部材３は、例えば、表面にメッキ処理などが施された合成樹脂などからなり、その外形が見返し板２に設けられた開口２５と略同一に形成された環状の部材である。装飾リング部材３の内側には、後述する文字板４に設けられた各指標が配置される。これにより、文字板４の各指標が装飾リング部材３によって囲われて、見返し板２と文字板４との境界を際だたせることにより視認性を向上させる。
【００２５】
文字板４は、例えば、透明又は半透明の合成樹脂などからなる、略円板状に形成された部材である。文字板４は、装飾リング部材３とともに、見返し板２に設けられた開口２５の内側に配置される。文字板４には、遮光インクが印刷された遮光領域４１と、文字や目盛の形状に沿って遮光インクを抜いて（遮光インクを印刷しないようにして）形成された透光性意匠としての指標４２、４３、４４が設けられている。これにより、各指標は裏面側から光を照らされて発光する。指標４２は数値を示し、指標４３は目盛を示し、それぞれの指標４２、４３は、装飾リング部材３の内縁に沿い円弧状に配列されている。指標４２、４３は、後述する指針部材８の針部８２によって指示されることにより針部８２と協働して、乗員に速度やエンジン回転数などの測定量を示す。指標４４は、測定量の単位を示し、文字板４の中央部に配置されている。文字板４の中心には、後述する回動内機７の回動軸７２が挿通される文字板貫通穴４５が設けられている。文字板４は、ＸＹ平面と平行に配置される。
【００２６】
ケース５は、例えば、合成樹脂などからなり、正面形状が見返し板２の外形と略同一の箱形に形成されている。ケース５には、文字板４の文字板貫通穴４５に対応する位置に設けられた、前面側（図２上方側）と裏面側（図２下方側）とを貫通する円柱状のケース貫通孔５１と、上記ケース貫通孔５１を取り囲むように形成された導光板収容部５２と、が設けられている。ケース貫通孔５１には、後述する回動内機７の回動軸７２が配置される。
【００２７】
導光板収容部５２は、内径が同一で外径が異なる２つの円筒状の空間である第１空間５２１と第２空間５２２とで構成されている。第１空間５２１は、外径が文字板４と略同一で且つ内径がケース貫通孔５１の外径と同一に形成されている。第２空間５２２は、外径が第１空間５２１より小さく且つ内径がケース貫通孔５１の外径と同一に形成されている。第１空間５２１と第２空間５２２とは、互いに連通するようにそれぞれ軸方向に沿って同心に重ねられている。これら第１空間５２１及び第２空間５２２のうち、外径が大きい第１空間５２１がケース５の前面寄りに配置され、外径の小さい第２空間５２２がケース５の裏面寄りに配置される。導光板収容部５２は、第１空間５２１におけるケース５の前面側の端部及び第２空間５２２におけるケース５の裏面側の端部がそれぞれ開口されており、ケース５を貫くように設けられている。導光板収容部５２には、後述する導光板９が収容される。そして、ケース５の前面側に、上述した文字板４、装飾リング部材３、及び、見返し板２、が重ねて配置されるとともに、導光板収容部５２のケース５の前面側の開口（即ち、第１空間５２１におけるケース５の前面寄りの端部）に対応して、文字板４、装飾リング部材３、及び、見返し板２の開口２５、が配置される。
【００２８】
配線板６は、その前面６ａ及び裏面６ｂに各種電子部品が実装されるとともに、これら各種電子部品を互いに電気的に接続する薄膜金属の配線パターンが施された、周知の電子基板である。配線板６の前面６ａには、後述する導光板９を介して文字板４の各指標を照らすための複数の光源６１と、各種ランプなどを照らす図示しないランプ用光源と、が設けられている。複数の光源６１は、導光板収容部５２におけるケース５裏面側の開口に対応する位置に、導光板収容部５２の第２空間５２２の周方向に沿って（即ち、円弧状に）等間隔で間隔をあけて配置されている。配線板６には、ケース貫通孔５１に対応した位置に、後述する回動内機７の回動軸が挿通される配線板貫通穴６２が設けられている。配線板６は、その前面６ａがケース５の裏面側に密に重なるようにして、ＸＹ平面と平行に配置される。
【００２９】
光源６１は、半導体からなる発光素子と、該発光素子を実装したリードフレームと、該発光素子を封止する透光性樹脂と、を備えた周知の表面実装型の発光ダイオードである。この光源６１の透光性樹脂には、正面方向の光の強度を高めるための集光構造が設けられている。
【００３０】
回動内機７は、本体部７１と、本体部７１に回動可能に軸支された指針軸としての回動軸７２と、を備えており、制御信号として入力されるパルス信号（パルス個数等）に応じて回動軸７２を回動させる、周知のステッピングモータである。回動内機７は、図示しない制御部と接続されており、該制御部から送られる速度やエンジン回転数などの測定量に応じた上記パルス信号を受信して動作する。回動内機７は、回動軸７２が配線板６の配線板貫通穴６２に挿通された状態で、本体部７１が配線板６の裏面６ｂに重ねて取り付けられている。つまり、回動軸７２が、配線板６を裏面６ｂ側から前面６ａ側に向けて貫いている。さらに、回動軸７２は、ケース５のケース貫通孔５１、文字板４の文字板貫通穴４５を順次挿通されて、その先端を文字板４の前面側に突出している。
【００３１】
指針部材８は、平たい円柱状に形成された基部８１と、基部８１の外周面の法線方向に延びるように連接された棒状の針部８２、を備えている。指針部材８は、その基部８１の中心が、回動内機７の回動軸７２の先端に固着されており、回動軸の回動に伴って、該回動軸を中心として針部８２が回動される。針部８２は、回動されることにより、文字板４上に設けられた数値及び目盛などの指標４２、４３を指示して、乗員に速度やエンジン回転数などの測定量を示す。
【００３２】
導光板９は、例えば、アクリル樹脂などの透明度の高い材料を用いて構成されており、また、その表面が滑らかな面に形成されていて、その内部に入光された光をその形状に沿って導く部材である。導光板９は、図３に示すように、平面視円弧状の平板からなる発光部９１と、発光部９１の内縁９１ｅに沿って連接されるとともに、該内縁９１ｅから略垂直方向に延びるように形成された略半円筒状の導光部９２と、を備えている。導光板９は、ケース５の導光板収容部５２に収容されて、その発光部９１は、ＸＹ平面と略平行に配置され、その導光部９２は、配線板６に向かいＺ軸方向に沿って延びるように配置される。なお、本実施形態において、発光部９１は平板状に形成されているが、これに限定されるものではない。発光部は、例えば、相対する一対の面（一方の面、他方の面）が、凸又は凹となる曲面状に形成された板状に形成されていたり、又は、外縁に向かうにしたがい厚みが徐々に薄くなるように断面が略くさび状に形成されていたり、するなど、本発明の目的に反しない限り、その形状は任意である。
【００３３】
発光部９１は、導光板収容部５２の第１空間５２１に収容され、導光部９２は、導光板収容部５２の第２空間５２２に収容される。このとき、発光部９１の一方の面（以下、前面）９１ａは、導光板収容部５２のケース５前面側の開口を通じて文字板４の背面と若干の間隔をあけて相対して配置される。勿論、発光部９１の前面９１ａと文字板４の背面とが、密に重ねられていてもよい。また、導光部９２における発光部９１の内縁９１ｅに連接された基端とは反対側の先端には、複数の光源６１の光が入光される入光面９２ａが設けられており、この入光面９２ａは、配線板６の前面６ａに円弧状に設けられた複数の光源６１と相対して配置される。導光部９２の入光面９２ａに入光された光は、導光部９２によって、発光部９１の内縁９１ｅに向かって導かれる。
【００３４】
発光部９１の他方の面（以下、裏面）９１ｂには、反射部９３が設けられている。この反射部９３は、互いに間隔をあけて配置される複数の反射体９５と、複数の反射体９５の間に配置される複数の反射面９６と、で構成されている。これら複数の反射体９５と複数の反射面９６とは、発光部９１の内縁９１ｅから外縁９１ｆに向かう方向（即ち、半径方向）に沿って交互に配置されている。
【００３５】
反射体９５は、発光部９１の周方向に沿うようにして、発光部９１の内縁９１ｅと外縁９１ｆとに隣接して互いに相対する一端９１ｃと他端９１ｄとの間に亘って連続して、設けられた、線条部としての断面くさび状の凸条９４を複数備えており、これら複数の凸条９４が、その幅方向（即ち、発光部９１の半径方向）に互いに接して配置されて構成されている。即ち、凸条９４は、裏面９１ｂに凸に形成されるとともに、発光部９１を進む光の進行方向に交差して且つ幅方向に互いに接して配置されている。凸条９４は、プリズムのように機能して、その表面に入射した光を、入射角度に応じて屈折又は反射する。これら複数の凸条９４は、入射された光を屈折及び反射して、発光部９１の前面９１ａから文字板４に直交する方向に向けて出射するように、発光部９１の裏面９１ｂに凸に形成される。図４（ａ）〜（ｂ）に、反射体９５が備える複数の凸条９４によって、入射された光が屈折及び反射されて、発光部９１の前面９１ａから文字板４に直交する方向に向けて出射される様子を示す模式図を示す。なお、本発明において、「直交する方向」とは、厳密に直交する方向の他にも略直交する方向も含んでおり、本発明の目的に反しない限り、文字板４に直交する方向を含む所定の角度の範囲内で出光するものであればよい。
【００３６】
以下に、反射体９５を構成する複数の凸条９４の形状を決定する方法の例を、図５（ａ）、（ｂ）を参照して説明する。図５（ａ）、（ｂ）において、導光板９の発光部９１の内縁９１ｅが左側、外縁９１ｆが右側に配置されている。
【００３７】
（形状決定方法１  ：  複数の凸条９４の断面形状が同一）
（工程１）発光部９１の裏面９１ｂにおける反射体９５を配置する部分に入射する光の入射角θを求める。実際には、導光板９内を進む光の進行方向はその形状によって異なるとともに、上記反射体９５を配置する部分には強度が異なる光が複数方向から入射するので、例えば、試作導光板での実測や、コンピュータによる光学シミュレーションなどによって、上記反射体９５を配置する部分に入射する複数の光の入射角とその強度を求めて、最も高い強度となる光の入射角を上記入射角θとする。または、これら複数の光の入射角の中心となる角度を上記入射角θとしてもよい。また、導光板９を、発光部９１の裏面９１ｂの各部分における入射角θが互いに略同一になるように予め設計しておくことにより、入射角θの異なる各部分毎に反射体９５の形状を設計することなく、反射体９５の形状を上記各部分において同一にすることができ、導光板９の設計を簡略化できる。
【００３８】
（工程２）次に、上記入射角θと空気及び導光板９の材料の屈折率とに基づいて、複数の凸条９４の形状及び個数を決定する。一般的に光は、屈折率の異なる２つの媒質の境界面への入射角が、該屈折率に応じて定まる所定の臨界角以上のとき、該入射した光は境界面において全反射され、臨界角未満のとき、境界面を通過するとともに入射角及び屈折率に応じた角度に屈折される、ことが知られている。例えば、空気の屈折率は１．００であり、導光板９の材料として用いられるアクリル樹脂の屈折率は１．４９であり、これら屈折率から、導光板９から出光されるときの境界面における臨界角θｍは、４２．２度になり、また、導光板９に入光されるときの境界面における臨界角は存在しない。また、反射体９５は、文字板４に厳密な意味で直交する方向を中心とする±３０度の範囲（以下、反射範囲ともいい、請求項中の文字板に直交する方向に相当）に向けて光を反射するものとする。
【００３９】
（工程２−１）発光部９１の裏面９１ｂに対して上記入射角θとなる光Ｌ０が、第１の凸条９４［１］における発光部９１の外縁９１ｆ寄りの面Ｈａに入射する。このとき、光Ｌ０における面Ｈａに対する入射角が臨界角θｍ未満で且つ前面９１ａ寄りに光Ｌ０を屈折するように、面Ｈａと裏面９１ｂとがなす角αを定める。また、第１の凸条９４［１］における発光部９１の内縁９１ｅ寄りの面Ｈｂと裏面９１ｂとがなす角βは、上記入射角θや反射面９６の幅などを考慮して適宜定める。つまり、第１の凸条９４［１］の角βを大きくすると、面Ｈａが面Ｈｂの陰になって入射する光Ｌ０が少なくなり、また、角βを小さくすると、反射面９６の幅が小さくなり、反射面９６によって反射される光が少なくなるので、これらのバランスを考慮して決定する。
【００４０】
（工程２−２ａ）そして、工程２−１で決定した第１の凸条９４「１」と断面形状が同一となる凸条９４を順次追加していく。具体的には、第１の凸条９４［１］の面Ｈａを通過した光Ｌ１は、空気中を進んで第２の凸条９４［２］の面Ｈｂに入射する。そして、第１の凸条９４［１］と断面形状（即ち、角α、角β）が同一である第２の凸条９４［２］を追加して、その面Ｈｂに入射した光Ｌ２の進行方向を求める。この光Ｌ２が、第２の凸条９４［２］の面Ｈａで上記反射範囲に向けて光を反射される場合、第２の凸条９４［２］を追加することで反射体９５が完成する。または、この光Ｌ２が、第２の凸条９４［２］の面Ｈａを通過する場合、第３の凸条９４［３］を追加して、上記と同様に第３の凸条９４［３］の面Ｈｂに入射した光Ｌ４の進行方向を求め、最終的に凸条９４の面Ｈａによって、上記反射範囲に向けて光が反射されるまで、第１の凸条９４［１］と断面形状が同一の凸条９４を順次追加していく。（工程終）
【００４１】
上述した形状決定方法１は、反射体９５の複数の凸条９４の断面形状を全て同一とする場合についてのものであるが、これら複数の凸条９４の断面形状はそれぞれ異なっても良い。そのような場合についての反射体９５の複数の凸条９４の形状決定方法２を以下に示す。
【００４２】
（形状決定方法２  ：  複数の凸条９４の断面形状が異なる）
（工程１）〜（工程２−１）までは、上述した形状決定方法１と同一である。
【００４３】
（工程２−２ｂ）第１の凸条９４［１］の面Ｈａを通過した光Ｌ１は、空気中を進んで第２の凸条９４［２］の面Ｈｂに入射する。このとき、光Ｌ１における面Ｈｂに対する入射角が、面Ｈｂによって前面９１ａ寄りに光Ｌ１を屈折するように、この面Ｈｂと裏面９１ｂとがなす角βを決定する。第２の凸条９４［２］の面Ｈｂを通過した光Ｌ２は、第２の凸条９４［２］内を進んで面Ｈａに入射する。このとき、光Ｌ２の進行方向が前面９１ａに十分に向いているのであれば、光Ｌ２における面Ｈａに対する入射角が臨界角θｍ以上で且つ上記反射範囲に向けて光Ｌ２を反射するように、面Ｈａと裏面９１ｂとがなす角αを決定し、又は、光Ｌ２が前面９１ａに十分に向いていないのであれば、上記第１の凸条９４［１］と同様にして、光Ｌ２における面Ｈａに対する入射角が臨界角θｍ未満で且つ前面９１ａ寄りに光Ｌ２を屈折するように、この面Ｈａと裏面９１ｂとがなす角αを決定する。
【００４４】
（工程２−３）以降、必要に応じて上記工程２−２を繰り返し、最終的に、凸条９４が上記反射範囲に向けて光を反射する形状となるまで、順次凸条９４をその形状（即ち、角α及び角β）を決定しながら追加していく。（工程終）
【００４５】
上記各形状決定方法において用いる入射角θとして、反射体９５を配置する部分に入射する複数の光の入射角とその強度を求めた中から最も高い強度となる光の入射角を用いているが、実際には、反射体９５を配置する部分には、最も高い強度より低い強度（例えば、最も高い強度に対し７０％以上の強度）の複数の光が、ある角度の範囲内に分布した入射角で入射している。そのため、これら光が反射体９５に入射すると、図５（ｂ）に示すように、反射体９５において発光部の前面に向けて反射される光についても、所定の角度の範囲内に向けて反射されて進むことになる。
【００４６】
この所定の角度の範囲を、文字板４と厳密な意味で直交する方向（図５（ｂ）において光Ｌと同方向）に対して角度γ１〜角度γ２の範囲としたとき、角度ｒ１の絶対値と、角度ｒ２の絶対値とが同一（略同一含む）になるように、各凸条９４の形状を決定することが好ましい。これら角度の絶対値が大きく異なっていると、視認方向によっては、光の強度に差が生じてしまう場合があり、そのため、これらの角度の絶対値を同一にすることで、視認方向による光の強度の差の発生を防ぐことができる。
【００４７】
なお、上記は、発光部９１の裏面９１ｂに凸に設けられた複数の凸条９４（即ち、凸の線条部）について説明したものであるが、発光部９１の裏面９１ｂに凹の複数の線条部が設けられた場合でも、同様にしてそれら形状を決定する。
【００４８】
特に、各凸条９４の断面形状をそれぞれ同一（即ち、各凸条９４における角α、角βが同一）にすることで、反射体９５を構成する凸条９４の数を増やすことにより、反射体９５で反射する光を増加することができ、導光板９の設計を簡略化できる。例えば、図４（ａ）に示す２つの凸条９４（図中、左側から順に第１の凸条９４［１］、第２の凸条９４［２］とする）で構成された反射体９５において、各凸条９４の形状が同一である場合に、図６（ａ）に示すように、３つ目となる第３の凸条９４［３］を追加する。このようにすることで、第１の凸条９４［１］に上記入射角θで入射した光Ｌａは、第１の凸条９４［１］及び第２の凸条９４［２］によって屈折及び反射され、さらに、第２の凸条９４［２］に上記入射角θで入射光Ｌｂは、第２の凸条９４［２］及び第３の凸条９４［３］によって屈折及び反射される。そのため、第３の凸条９４［３］がない場合において、第２の凸条９４［２］から裏面９１ｂ側に漏れていた光Ｌｂを、文字板４に直交するように反射して、反射体９５で反射する光を増加することができる。また、上記構成において、さらに４つ目、５つ目、と凸条９４を増やすことで、さらに、反射体９５で反射する光を増加することができる。また、図６（ｂ）に、互いに同形状の３つの凸条９４で構成された反射体９５において、４つ目となる第４の凸条９４［４］を追加したときの様子を示し、図６（ｃ）に、互いに同形状の４つの凸条９４で構成された反射体９５において、５つ目となる第５の凸条９４［５］を追加したときの様子を示す。図６（ｂ）、（ｃ）においても、上記と同様に、反射体９５で反射する光を増加することができる。また、発光部９１の裏面９１ｂに凹の複数の線条部が設けられた場合でも、同様である。
【００４９】
これら複数の反射体９５（即ち、複数の凸条９４）は、図７（ａ）に示すように、光源から遠ざかるにしたがい（即ち、発光部９１の内縁９１ｅから外縁９１ｆに向かうにしたがい）徐々に反射体９５の間隔（即ち、反射面９６の幅）が狭くなるように配置されている。または、複数の反射体９５は、例えば、図７（ｂ）に示すように、光源から遠ざかるにしたがい徐々に凸条９４の断面積（くさび）を大きくしたり、図７（ｃ）に示すように、光源から遠ざかるにしたがい徐々に複数の凸条９４の数を多くしたり、するなど、光源から遠ざかるにしたがい発光部９１の裏面９１ｂにおける単位面積当たりに占める反射体９５の平面視面積（即ち、反射体９５を裏面９１ｂの法線方向から見たときの面積）を多くすることが好ましい。このようにすることで、反射体９５の平面視面積に比例して反射体９５で反射される光が増加して、反射部９３における光源６１から遠く離れた部分から出光される光の強度と、該部分より光源に近い部分から出光される光の強度と、の差を小さくすることができ、発光部９１の前面９１ａから出光される光の強度ムラを防いで、発光部９１の内縁９１ｅから外縁９１ｆにかけて、反射部９３によって発光部９１の前面９１ａに向けて反射される光の量を均一にできる。
【００５０】
本実施形態において、反射体９５は、図８（ａ）に示すように、発光部９１の一端９１ｃと他端９１ｄとの間に亘って連続して設けられた凸条９４を複数備えるものであったが、これに限らず、図８（ｂ）に示すように、反射体９５Ａは、複数の短い凸条９４Ａで構成されており、これら反射体９５Ａが、発光部９１の周方向に沿うようにして発光部９１の一端９１ｃと他端９１ｄとの間に亘って互いに間隔をあけて設けられていてもよい。または、図９（ａ）、（ｂ）に示すように、複数の短い凸条９４Ａからなる反射体９５Ａを、発光部９１の裏面９１ｂに規則的（矩形配置、六方格子状配置など）に配置したり、図９（ｃ）に示すように、ランダムに配置したりしてもよい。また、図９（ｄ）に示すように、複数の短い凸条からなる反射体９５Ａは、発光部９１の裏面９１ｂ上に配置される箇所に応じて、凸条の数や形状（長さ、断面形状）などが異なるものとしてもよい。
【００５１】
また、本実施形態において、反射体９５が備える複数の凸条９４は、断面くさび形に形成されるものであったが、これに限らず、例えば、図１０（ａ）に示すように、反射体９５Ｂが備える複数の凸条９４Ｂは、その断面が四角形などの多角形に形成されていたり、図１０（ｂ）に示すように、反射体９５Ｃが備える複数の凸条９４Ｃは、１つの反射体９５Ｃにおいて、それら先端を互いに異なる方向に向けて形成されていたり、図１０（ｃ）に示すように、反射体９５Ｄが備える複数の凸条９４Ｄは、１つの反射体９５Ｄにおいて、それぞれの大きさ（断面積）が異なるように形成されていたり、若しくは、各凸条の表面（上記面Ｈａ、面Ｈｂ）が曲面状に形成されていたり、または、これらの組み合わせであったり、するなど、複数の凸条９４は、入射された光を、屈折及び反射して発光部９１の文字板４に直交する方向に向けて出射するように形成されていれば、それらの形状は任意である。
【００５２】
反射面９６は、発光部９１の周方向に沿うようにして発光部９１の一端９１ｃから他端９１ｄに亘って設けられた滑らかで且つ細長い平面部であり、反射面９６は、複数の反射体９５の間に配置されて、斜めに入射された光を鏡面反射することにより、発光部９１の外縁９１ｆに向けて光を導く。
【００５３】
反射部９３は、上述したように、発光部９１をその内縁９１ｅから外縁９１ｆに向かって進む光を、その反射体９５によって前面９１ａに向かって反射することにより、前面９１ａから光を出光させる部位であり、反射部９３の構成（即ち、反射体９５及び反射面９６の数、配置など）は、文字板４に設けられた指標４２、４３、４４の配置等の速度メータ１の構成などに応じて適宜決定される。
【００５４】
導光板９において、光源６１から入光面９２ａに入光された光は、導光部９２及び発光部９１を光路として、導光部９２を先端（入光面９２ａ）から基端に向かって進んで発光部９１の内縁９１ｅに導かれたのち、発光部９１を内縁９１ｅから外縁９１ｆに向かって（即ち、半径方向に沿って）進み、反射部９３によって文字板４に直交する方向に向けて反射されて、この前面９１ａから出光される。
【００５５】
裏カバー（図示なし）は、例えば、合成樹脂などで構成され、正面形状が上記ケース５の正面形状と略同一の底壁部と、この底壁部の周縁から立設した側壁部と、を備えた、断面略コ字状の器型に形成されている。裏カバーは、配線板６の裏面６ｂを覆うように配設されて、タッピングねじなどの図示しない固定手段によってケース５に取り付けられる。
【００５６】
表ガラスは（図示なし）、見返し板２、装飾リング部材３、及び、文字板４をそれぞれ覆うように配設されて、係止爪などの図示しない固定手段によってケース５に取り付けられる。裏カバー及び表ガラスは、メータ１内に、塵埃などが侵入することを防ぐ。
【００５７】
次に、上述した速度メータ１（導光板９）における本発明に係る作用について、図１１を参照して説明する。
【００５８】
速度メータ１において、光源６１から出射された光は、導光板９の導光部９２の入光面９２ａに入光されて、導光部９２によって発光部９１の内縁９１ｅまで導かれる。そして、発光部９１の内縁９１ｅまで導かれた光は、発光部９１の前面９１ａ及び反射面９６によって反射されて、発光部９１を内縁９１ｅから外縁９１ｆに向かって進む。そして、発光部９１内を進む光のうち裏面９１ｂに対して入射角θとなる光が反射体９５に入射すると、該反射体９５を構成する複数の凸条９４が、該入射した光を前面９１ａ寄りに向けて屈折させながら透過させたのち文字板４に直交する方向に向けて反射する。そして、反射体９５によって反射された光は、前面９１ａから出光される。
【００５９】
以上より、本発明によれば、発光部９１に設けられた反射部９３には、発光部９１の周方向に沿って（即ち、発光部９１を進む光の進行方向に交差して）且つ幅方向に互いに接して配置された裏面９１ｂに凸の複数の凸条９４からなる反射体９５が、互いに間隔をあけて複数設けられ、そして、これら複数の凸条９４が、入射された光を、前面９１ａ寄りに向けて屈折させながら透過させたのち文字板４に直交する方向に向けて反射するように形成されているので、発光部９１を進む光を反射部９３によって屈折及び反射して、前面９１ａから文字板４に直交する方向に向けて出光させることができ、そのため、プリズムシートなどの光の進行方向を矯正するための部材を用いることなく、正面方向の光の強度を十分に確保できる。したがって、部品点数を削減して、製造コストを低減することができる。
【００６０】
また、反射体９５が、光源６１から遠ざかるにしたがって、徐々に反射体９５の間隔（即ち、反射面９６の幅）が狭くなるよう配置されており、つまり、裏面９１ｂの単位面積当たりに占める反射体９５の平面視面積の割合が大きくなるように設けられているので、反射体９５の平面視面積に比例して反射体９５で反射される光が増加して、反射部９３における光源６１から遠く離れた部分から出光される光の強度と、該部分より光源に近い部分から出光される光の強度と、の差を小さくすることができ、発光部９１の前面９１ａから出光される光の強度ムラを防ぐことができる。
【００６１】
また、反射体９５が備える複数の凸条９４が、発光部９１の内縁９１ｅと外縁９１ｆとに隣接して互いに相対する一端９１ｃと他端９１ｄ（即ち、両端）間に亘って連続して設けられているので、反射部９３の構成を、複数の凸条９４が発光部９１の一端９１ｃと他端９１ｄとの間を結ぶ方向に沿って間隔をあけて離散して配置されたものより、簡易にすることができ、そのため、導光板９の製造に用いる金型等を安価にでき、導光板９の製造コストを低減できる。
【００６２】
（第２の実施形態）
以下、本発明に係る第２の実施形態の導光板を備えた速度メータについて、図１２〜図１６を参照して説明する。指針計器としての速度メータ（図中、符号１Ａで示す）は、図１２に示すように、見返し板２と、装飾リング部材３と、文字板４と、ケース５と、配線板６と、回動内機７と、指針部材８と、導光板１０と、図示しない裏カバーと、図示しない表ガラスと、を備えている。なお、速度メータ１Ａは、導光板１０以外は上述した第１の実施形態と同一であるので、同一の部分には同一の符号を付して、それら説明を省略する。
【００６３】
導光板１０は、例えば、アクリル樹脂などの透明度の高い材料を用いて構成されており、また、その表面が滑らかな面に形成されていて、その内部に入光された光をその形状に沿って導く部材である。導光板１０は、複数の導光部品１００を備えている。
【００６４】
図１３は、導光部品１００の背面図（即ち、後述する導光部品１００の第１部分１０１の裏面１０１ｂ側から見た図）である。導光部品１００は、図１３に示すように、平面視扇形の平板からなる第１部分１０１と、第１部分１０１の内縁１０１ｅに沿って連接されるとともに、該内縁１０１ｅから略垂直方向に延びるように形成された矩形状の平板からなる第２部分１０２と、を備えている。そして、これら複数の導光部品１００における第１部分１０１の内縁１０１ｅと外縁１０１ｆとに隣接して互いに相対する端部１０１ｃ、１０１ｄを、各導光部品１００同士（つまり、一の導光部品１００の一端１０１ｃと他の導光部品の他端１０１ｄと）で互いに接合することにより、図１４に示すように、上述した第１の実施形態と同様の、平面視円弧状の平板からなる発光部１１１と、発光部１１１の内縁（即ち、第１部分１０１の内縁１０１ｅ）に沿って連接されるとともに、該内縁から略垂直方向に延びるように形成された略半角筒状の導光部１１２と、を備える導光板１０を構成する。また、導光板１０は、上述した第１の実施形態と同様に、ケース５の導光板収容部５２に収容される。なお、図１４において、反射部１０３は記載を省略している。
【００６５】
導光部品１００の第１部分１０１の一方の面（以下、前面）１０１ａは、上記発光部１１１の前面１１１ａを構成して、導光板収容部５２のケース５前面側の開口を通じて文字板４の背面と若干の間隔をあけて相対して配置される。また、導光部品１００の第２部分１０２における第１部分１０１の内縁１０１ｅに連接された基端とは反対側の先端には、光源６１の光が入光される入光面１０２ａが設けられており、この入光面１０２ａは、配線板６の前面６ａに設けられた複数の光源６１のうち、この導光部品１００に対応して配置された１つの光源６１と相対して配置される。入光面１０２ａに入光された光は、第２部分１０２によって、第１部分１０１の内縁１０１ｅに向かって導かれる。
【００６６】
第１部分１０１の他方の面（以下、裏面）１０１ｂは、上記発光部１１１の裏面１１１ｂを構成するとともに、反射部１０３が設けられている。この反射部１０３は、図１３に示すように、互いに間隔をあけて配置される複数の反射体１０５と、複数の反射体１０５の間に配置される複数の反射面１０６と、を備えている。これら複数の反射体１０５と複数の反射面１０６とは、第１部分１０１の内縁１０１ｅから外縁１０１ｆに向かう方向（即ち、半径方向）に沿って交互に配置されている。
【００６７】
反射体１０５は、第１の実施形態と同様に、第１部分１０１の周方向に沿うようにして第１部分１０１の互いに相対する一端１０１ｃと他端１０１ｄとの間に亘って連続して設けられた、断面くさび状の凸条１０４を複数備えており、これら複数の凸条１０４が、その幅方向（即ち、第１部分１０１の半径方向）に互いに接して配置されて構成されている。これら複数の凸条１０４は、それぞれの断面形状が同一（即ち、角α、角βが同一）に形成されている。もちろん、断面形状が異なるように形成されていてもよい。これら複数の凸条１０４は、入射された光を屈折及び反射して、文字板４に直交する方向に向けて出射するように、第１部分１０１の裏面１０１ｂに凸に形成される。
【００６８】
ところで、この速度メータ１Ａにおいては、光源６１として、発光ダイオードが用いられる。このような発光ダイオードは、半導体からなる発光素子と、該発光素子を封止する透光性樹脂と、を備えており、この透光性樹脂には、発光ダイオードの正面方向の光の強度を高めるためのレンズなどの集光構造が設けられている。そのため、発光ダイオードからなる光源６１は、正面方向については高い光の強度を確保できるものの、正面方向から外れるにしたがって光の強度が低下してしまい、これにより、導光部品１００の第１部分１０１には、光の強度にムラが生じて、光の強度が低い箇所が生じる。光の強度が低い箇所は、光源６１における光の出射量や出射角度（指向角）、配置、又は、導光部品１００の透光性や形状などによって定まる。
【００６９】
このような光の強度ムラに対して、例えば、試作導光板での実測や、コンピュータによる光学シミュレーションなどによって、第１部分１０１（即ち、発光部１１１）を進む光の強度が所定の基準値（例えば、光源６１の正面方向の光の強度に対して７０％の光の強度）より低い箇所Ｓ（図１５の斜線部で示す、以下、低強度箇所Ｓという）を予め求めて、複数の反射体１０５における該低強度箇所Ｓに配置された部分に、補助線条部としての補助凸条１０７を設けている。このような低強度箇所Ｓは、例えば、図１５に示すように、第１部分１０１の両端部１０１ｃ、１０１ｄに沿って、内縁１０１ｅから外縁１０１ｆに近づくにしたがってその幅が徐々に狭くなるように生じる。
【００７０】
補助凸条１０７は、図１３に示すように、複数の反射体１０５における低強度箇所Ｓに配置された部分に、それら反射体１０５の端に位置する凸条１０４に幅方向に互いに接して配置される。本実施形態において、補助凸条１０７は、上記凸条１０４と断面形状が同一に形成されている。補助凸条１０７は、図１６（ａ）に示すように、反射体１０５の幅方向の一端側に１つのみ設けてもよく、または、図１６（ｂ）に示すように、反射体１０５を幅方向に挟むように複数設けてもよく、その個数及び形状は低強度箇所Ｓにおける光の強度等に応じて定められる。このように補助凸条１０７を設けることで、補助凸条１０７や、複数の凸条１０４のうち中間に配置されている凸条１０４などから、文字板４に直交する方向に向けて光を出射することができる。もちろん、補助凸条１０７が、補助凸条１０７や上記中間に配置されている凸条１０４などから文字板４に直交する方向に向けて光を出射するように形成されているのであれば、上記凸条１０４と異なる断面形状でもよい。これにより、発光部９１の低強度箇所Ｓに対応する前面９１ａから光を出光して、光の強度を高めることができる。
【００７１】
反射面１０６は、第１部分１０１の周方向に沿うようにして第１部分１０１の一端１０１ｃから他端１０１ｄに亘って設けられた滑らかで且つ細長い平面部であり、反射面１０６は、複数の反射体１０５の間に配置されて、斜めに入射された光を鏡面反射することにより、第１部分１０１の外縁１０１ｆに向けて光を導く。
【００７２】
反射部１０３は、上述したように、第１部分１０１をその内縁１０１ｅから外縁１０１ｆに向かって進む光を、その反射体１０５によって前面１０１ａに向かって反射することにより、前面１０１ａから光を出光させる部位であり、反射部１０３の構成（即ち、反射体１０５及び反射面１０６の数、配置など）は、文字板４に設けられた指標４２、４３、４４の配置等の速度メータ１Ａの構成などに応じて適宜決定される。
【００７３】
導光板１０において、光源６１から入光面１０２ａに入光された光は、第２部分１０２（即ち、導光部１１２）及び第１部分１０１（即ち、発光部１１１）を光路として、第２部分１０２を先端（入光面１０２ａ）から基端に向かって進んで第１部分１０１の内縁１０１ｅに導かれたのち、第１部分１０１を内縁１０１ｅから外縁１０１ｆに向かって進み、反射部１０３によって文字板４に直交する方向に向けて反射されて、前面１０１ａから出光される。
【００７４】
次に、上述した速度メータ１Ａ（導光板１０）における本発明に係る作用について説明する。
【００７５】
速度メータ１Ａにおいて、光源６１から出射された光は、導光板１０（即ち、導光部品１００）の入光面１０２ａに入光されて、第２部分１０２によって第１部分１０１の内縁１０１ｅまで導かれる。そして、第１部分１０１の内縁１０１ｅまで導かれた光は、第１部分１０１の前面１０１ａ及び反射面１０６によって反射されて、第１部分１０１を内縁１０１ｅから外縁１０１ｆに向かって進む。このとき、光源６１の特性により、第１部分１０１の両端部１０１ｃ、１０１ｄにおいて、第１部分１０１を進む光の強度が低い箇所Ｓ（低強度箇所Ｓ）が生じるが、この複数の反射体１０５における該低強度箇所Ｓに配置された部分には補助凸条１０７が設けられているので、この補助凸条１０７によって、文字板４に直交する方向に向けて光がより多く反射され、そのため、該低強度箇所Ｓに対応する第１部分１０１の前面１０１ａから出光される光の強度を、該低強度箇所Ｓ以外の他の箇所と同様にすることができる。
【００７６】
以上より、本発明によれば、反射体１０５における第１部分１０１（即ち、発光部１１１）を進む光の強度が所定の基準値より低い箇所に配置された部分には、該反射体１０５の複数の凸条１０４に幅方向に互いに接して配置される１又は複数の補助凸条１０７が設けられているので、第１部分１０１を進む光の強度が所定の基準値より低い箇所（低強度箇所Ｓ）において、補助凸条１０７によってより多くの光を文字板４に直交する方向に向けて反射して前面１０１ａから出光でき、そのため、該箇所に対応する第１部分１０１の前面１０１ａから出光される光の強度を、他の箇所と同様にすることができ、第１部分１０１の前面１０１ａから出光される光の強度ムラを防ぐことができる。また、補助凸条１０７の数を、低強度箇所Ｓ内の場所に応じて調整することにより、場所毎に前面１０１ａから出光される光の強度を調整することができ、低強度箇所Ｓ内での光の強度ムラも改善できる。また、上述した効果に加えて、第１の実施形態と同様の効果も奏する。
【００７７】
上述した第２の実施形態において、導光板１０は、その導光部品１００の第２部分１０２が矩形状の平板に形成されていたが、これに限らず、例えば、図１７（ａ）に示すように、導光板１０Ａは、その導光部品１００Ａの第２部分１０２Ａの断面が、第１部分１０１の周方向に沿って湾曲した円弧状となるように形成されていてもよく、又は、図１７（ｂ）に示すように、導光板１０Ｂは、その導光部品１００Ｂの第２部分１０２Ｂが、第１部分１０１から遠い側に位置する面が凸となる曲面状に形成されていてもよく、又は、導光板は、第１の実施形態の導光板９と同様に、それぞれ一体に形成された、平面視円弧状の平板である発光部と、発光部の内縁に連接された導光部と、を備えていてもよい。これら導光板においても、上記と同様に低強度箇所を求めて、反射体における低強度箇所の部分に上記補助凸条を設けることにより、上記と同様の効果が得られる。なお、図１７においては、反射部１０３の記載を省略している。
【００７８】
また、上述した各実施形態において、導光板９（以下、導光板１０でも同様）は、発光部の端部（即ち、内縁９１ｅ）に沿って連接されるとともに、該端部から略垂直に延びるようにして形成された導光部９２を備えているものであったが、これに限定されるものではなく、例えば、図１８にその構成の一部を示すように、平面視円弧状の平板のみからなる導光板２０９であってもよい。この導光板２０９は、その平板部分２９１の内縁に設けられた一端面２９１ａに、配線板２０６に設けられた複数の光源２６１の光が入光される。そして、この入光された光が、平板部分２９１の裏面に設けられた、上記実施形態と同様の図示しない反射部によって前面２９１ｂに向けて反射されて、前面２９１ｂから出光される。このような構成においては、平板部分２９１が請求項中の発光部に相当し、平板部分２９１の一端面２９１ａが入光面で且つ導光部に相当し、発光部と導光部とが広義に連接されている。
【００７９】
また、上述した各実施形態において、反射体９５（以下、反射体１０５でも同様）が備える複数の凸条９４は、発光部９１の周方向に沿って設けられていたが、これに限らず、図１９に示すように、各凸条９４が、各光源６１によって出射された光が発光部９１上で平面方向に広がる広がり角λの収束点となる仮想光源Ｐから等距離となる位置（即ち、仮想光源Ｐを中心とした同心円上）に沿って配置されていてもよい。このように凸条９４を設けることにより、仮想光源Ｐから放射状に進む光が各凸条９４に対して平面視で直交するように入射するので、該入射した光を均一に屈折及び反射して、文字板４に向けてより直交するように（よりＺ軸方向に平行になるように）反射することができる。この広がり角λは、導光板９の形状や光源６１における光の出射量や出射角度（指向角）等に応じて定まる。
【００８０】
また、上述した各実施形態において、反射体９５（以下、反射体１０５でも同様）が裏面９１ｂに凸の複数の凸条９４で構成されるものであったが、これに限定されるものではなく、反射体９５は、例えば、複数の断面Ｖ字状の凹溝で構成されるなど、裏面９１ｂに凹に形成された複数の線条部で構成されていてもよい。このような線条部としての複数の凹溝９７で構成された反射体９５を、図２０に示す。
【００８１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８２】
１  速度メータ（指針計器）
４  文字板
４２、４３、４４  指標（透光性意匠）
９  導光板
９１  発光部
９１ａ  発光部の前面（一方の平面）
９１ｂ  発光部の裏面（他方の平面）
９２    導光部
９２ａ  入光面
９３  反射部
９４、９４Ａ、９４Ｂ、９４Ｃ、９４Ｄ  凸条（線条部）
９５、９５Ａ、９５Ｂ、９５Ｃ、９５Ｄ  反射体
９６  反射面
９７  凹溝（線条部）
１Ａ  速度メータ（指針計器）
１０、１０Ａ、１０Ｂ  導光板
１００    導光部品（導光板）
１０１    第１部分（発光部）
１０１ａ  第１部分の前面（一方の平面）
１０１ｂ  第１部分の裏面（他方の平面）
１０２    第２部分（導光部）
１０４    凸条（線条部）
１０５    反射体
１０６    反射面
１０７    補助凸条（補助線条部）
１１１    発光部
１１１ａ  発光部の前面（一方の平面）
１１１ｂ  発光部の裏面（他方の平面）
１１２    導光部
【図１】
0005578918.tif 000002
【図２】
0005578918.tif 000003
【図３】
0005578918.tif 000004
【図４】
0005578918.tif 000005
【図５】
0005578918.tif 000006
【図６】
0005578918.tif 000007
【図７】
0005578918.tif 000008
【図８】
0005578918.tif 000009
【図９】
0005578918.tif 000010
【図１０】
0005578918.tif 000011
【図１１】
0005578918.tif 000012
【図１２】
0005578918.tif 000013
【図１３】
0005578918.tif 000014
【図１４】
0005578918.tif 000015
【図１５】
0005578918.tif 000016
【図１６】
0005578918.tif 000017
【図１７】
0005578918.tif 000018
【図１８】
0005578918.tif 000019
【図１９】
0005578918.tif 000020
【図２０】
0005578918.tif 000021
【図２１】
0005578918.tif 000022
【図２２】
0005578918.tif 000023